(57)【要約】【課題】画像データを記録媒体に記録する時間情報を算出することで、コンテンツの選択制限や終了動作制限を行うことができる画像データ再生装置を提供する。【解決手段】画像データ再生装置（撮像装置１００）は、画像データを記録媒体（外部記録媒体２６）へ記録するデータ記録装置（外部記録装置２００）と通信を行う通信手段と、通信手段によりデータ記録装置の能力情報を受信する受信手段とを備える。また、能力情報により、画像データを記録媒体に記録する時間情報を算出する算出手段と、時間情報を画像データと関連付けて表示する表示手段とを備える。各手段は、システムコントローラ８がその機能を有する。【選択図】図２
2009253618.tif 000002
【特許請求の範囲】
【請求項１】
画像データを記録媒体へ記録するデータ記録装置と通信を行う通信手段と、
前記通信手段により前記データ記録装置の能力情報を受信する受信手段と、
前記能力情報により、前記画像データを前記記録媒体に記録する時間情報を算出する算出手段と、
前記時間情報を前記画像データと関連付けて表示する表示手段と、
を備えることを特徴とする画像データ再生装置。
【請求項２】
画像データを記録媒体へ記録するデータ記録装置と通信を行う通信手段と、
前記通信手段により前記データ記録装置の能力情報を受信する受信手段と、
前記能力情報により、前記画像データを前記記録媒体に記録する時間情報を算出する第１の算出手段と、
電池で前記通信手段、前記受信手段及び前記第１の算出手段を駆動する際の残り動作可能時間を取得する取得手段と、
前記残り動作可能時間と前記能力情報とから前記記録媒体へ記録する記録処理可能時間を算出する第２の算出手段と、
前記時間情報及び前記記録処理可能時間を前記画像データと関連付けて表示する表示手段と、
を備えることを特徴とする画像データ再生装置。
【請求項３】
前記データ記録装置の前記能力情報は、前記記録媒体への書き込み処理速度情報、記録媒体種別情報、書き込み速度情報、データ転送速度情報を含むことを特徴とする請求項１または２記載の画像データ再生装置。
【請求項４】
前記表示手段は、前記算出手段により算出した前記時間情報と各画像データのサムネイルとを関連付けて表示することを特徴とする請求項１乃至３のいずれかに記載の画像データ再生装置。
【請求項５】
前記第１の算出手段は、前記受信手段により取得する前記能力情報と各コンテンツのデータサイズ情報から前記時間情報を算出することを特徴とする請求項１乃至３のいずれかに記載の画像データ再生装置。
【請求項６】
前記取得手段は、前記通信手段による前記画像データの転送時間が前記記録媒体へ記録する時間を超える場合は前記通信手段の転送速度に基づいて前記残り動作可能時間を取得することを特徴とする請求項２記載の画像データ再生装置。
【請求項７】
前記記録媒体へ記録する記録所要時間が前記記録処理可能時間を超えている場合、前記表示手段は、警告表示を行うことを特徴とする請求項２記載の画像データ再生装置。
【請求項８】
前記記録媒体へ記録する記録所要時間が前記記録処理可能時間を超えている場合、前記記録媒体への記録を中断する中断手段を備えることを特徴とする請求項２または７記載の画像データ再生装置。
【請求項９】
前記通信手段により前記データ記録装置と通信を行う際、前記中断手段により記録が中断されていた前記記録媒体の情報を検出する検出手段を備え、検出された前記記録媒体の記録所要時間を算出して、前記表示手段に表示することを特徴とする請求項８記載の画
【発明の詳細な説明】
【技術分野】
【０００１】
本発明は、外部記録装置に記録された動画像データを再生する画像データ再生装置に関する。
【背景技術】
【０００２】
従来から、撮像した動画像をデジタルデータに変換して、ハードディスク等の記録媒体へ記録するデジタルビデオカムコーダがある。また、記録した動画データをＤＶＤへ書き込むシステムとして、ＵＳＢを介してデジタルビデオカムコーダとＤＶＤ作成装置を接続し、ＤＶＤ作成装置へ動画データを転送しディスクを作成するシステムが提案されている。
【０００３】
ここで、デジタルビデオカムコーダはバッテリ駆動可能であるが、バッテリ容量の大容量化に伴い、ＤＶＤ作成装置もバッテリ駆動が可能になることが考えられる。
【０００４】
しかしながら、ＤＶＤ作成装置をバッテリ駆動させた場合、バッテリ切れにより、ディスク作成途中に処理が中断されてしまう可能性がある。この場合、ディスクが無駄になる可能性がある。
【０００５】
このような問題点に鑑みて、カムコーダと印刷装置を接続したシステムにおいて、印刷装置への出力可能枚数と印刷装置から受信する印刷可能枚数の情報に基づいて、システム全体としての印刷可能枚数を自動的に算出する技術が提案されている（特許文献１）。
【特許文献１】特開２００５−３４３０８４号公報
【発明の開示】
【発明が解決しようとする課題】
【０００６】
しかしながら、ディスクを作成する場合、印刷とは異なる点が多くある。例えば、以下の点である。
１）追記可能な状態で書き込み処理を中断できる。
２）動画データ書き込み終了後に、ファイナライズといった終了処理が必要である。
３）装置に入っているディスクの種別（ＲＷ、−Ｒ等）によって消費電力が異なる。
４）一般的にはひとつのコンテンツデータ量が多いためデータ出力時間が多い。
５）１コンテンツを作成するために、複数枚のディスクが必要な場合がある。
【０００７】
これらの条件を考慮しながら、ＤＶＤへ書き込みたいコンテンツを選択することは非常に困難である。また、所望のコンテンツをディスクへ書き込むためにどのくらいの時間を要するのか推測できない。
【０００８】
本発明の目的は、画像データを記録媒体に記録する時間情報を算出することで、コンテンツの選択制限や終了動作制限を行うことができる画像データ再生装置を提供することにある。
【課題を解決するための手段】
【０００９】
上記目的を達成するために、請求項１記載の画像データ再生装置は、画像データを記録媒体へ記録するデータ記録装置と通信を行う通信手段と、前記通信手段により前記データ記録装置の能力情報を受信する受信手段と、前記能力情報により、前記画像データを前記記録媒体に記録する時間情報を算出する算出手段と、前記時間情報を前記画像データと関連付けて表示する表示手段とを備えることを特徴とする。
【００１０】
請求項２記載の画像データ再生装置は、画像データを記録媒体へ記録するデータ記録装置と通信を行う通信手段と、前記通信手段により前記データ記録装置の能力情報を受信する受信手段と、前記能力情報により、前記画像データを前記記録媒体に記録する時間情報を算出する第１の算出手段と、電池で前記通信手段、前記受信手段及び前記第１の算出手段を駆動する際の残り動作可能時間を取得する取得手段と、前記残り動作可能時間と前記能力情報とから前記記録媒体へ記録する記録処理可能時間を算出する第２の算出手段と、前記時間情報及び前記記録処理可能時間を前記画像データと関連付けて表示する表示手段とを備えることを特徴とする。
【発明の効果】
【００１１】
本発明の画像データ再生装置によれば、画像データを記録媒体に記録する時間情報を算出することで、コンテンツの選択制限や終了動作制限を行うことができる。
【発明を実施するための最良の形態】
【００１２】
以下、本発明の実施の形態を図面を参照しながら詳細に説明する。
【００１３】
図１は、本発明の実施の形態に係る画像データ再生装置としての撮像装置と外部記録装置が接続された画像データ再生システムのブロック図である。
【００１４】
図１において、本画像データ再生システムは、画像データ再生装置としての撮像装置１００と外部記録装置（データ記録装置）２００がネットワーク接続されることで構築される。
【００１５】
撮像装置１００は、レンズ１０を介して入射する被写体光学像を電気信号に変換する撮像部１、撮像部１からの電気信号に対して、Ａ／Ｄ変換、信号レベル調節、画素補間、色変換等の所定の処理を行う画像信号処理部２を備える。
【００１６】
また、撮像装置１００は、表示部４に表示する表示データを制御する表示制御部３、表示制御部３の制御に基づいて表示データを表示する表示部４、画像信号処理部２からの画像データに、圧縮／伸張あるいは拡大／縮小等の処理を行う画像処理部５を備える。
【００１７】
また、撮像装置１００は、記録媒体７への記録処理や読み込み処理を制御するための記録媒体インターフェイス部（Ｉ／Ｆ）６、ＤＶテープやＤＶＤやＳＤカード等の記録媒体７、撮像装置各部の制御を行うシステムコントローラ８を備える。
【００１８】
また、撮像装置１００は、スイッチ９を備える。スイッチ９は、電源スイッチ、動作切替スイッチ、フォトキー、動画撮影キー、再生スイッチ、画像送りスイッチ、画像戻しスイッチ、画像表示キー、設定キー等が含まれる。
【００１９】
また、撮像装置１００は、外部記録装置２００とのデータ通信を制御するための外部記録装置インターフェイス部（Ｉ／Ｆ）１１、２次電池１３から供給される電力を撮像装置１００の各部へ供給する電源制御部１２を備える。
【００２０】
外部記録装置２００は、撮像装置１００とのデータ通信を制御する外部記録装置インターフェイス部（Ｉ／Ｆ）２１、受信した通信データを、外部記録媒体２６へ書き込むデータへ変換処理するデータ処理部２２を備える。
【００２１】
データ処理部２２で生成されたデータを記録媒体インターフェイス部（Ｉ／Ｆ）２３へ送信し、記録媒体インターフェイス部２３はＤＶＤやＣＤ等の外部記録媒体２６に書き込み処理を行う。
【００２２】
また、外部記録装置２００は、２次電池２７から供給される電力を外部記録装置２００の各部へ供給する電源制御部２４、外部記録装置２００の各部の制御を行うシステムコントローラ２５を備える。
【００２３】
電源制御部１２、２４は、商用電源３１とも接続されている。
【００２４】
図２は、図１の画像データ再生システムによって実行される画像データ再生処理の第１の実施の形態の手順を示すフローチャートである。
【００２５】
より具体的には、撮像装置１００内に記録してある各コンテンツの外部記録装置２００への書き込み所要時間を算出し、情報表示する処理のフローチャートである。
【００２６】
尚、以下のフローチャートにおいて、各ステップを「Ｓ」と略す（以下のフローチャートでも同様）。
【００２７】
図２において、Ｓ１０１では、撮像装置１００のスイッチ９の電源スイッチがＯＮ状態で、動作切替スイッチが再生モード状態で、再生モードが起動する。
【００２８】
Ｓ１０２では、システムコントローラ８は、外部記録装置インターフェイス部１１、２１を介して撮像装置１００と外部記録装置（ＤＶＤ記録機器）２００の接続状態を検出する。接続を検出した場合は、Ｓ１０３へ処理を移行する。接続が検出できなかった場合は処理を終了する。
【００２９】
Ｓ１０２は、画像データを記録媒体（外部記録媒体２６）へ記録するデータ記録装置（外部記録装置２００）と通信を行う通信手段として機能する。
【００３０】
Ｓ１０３では、撮像装置１００の電源制御部１２が２次電池１３の駆動（カメラバッテリ駆動）を検出した場合はＳ１０５へ処理を移行する。電源制御部１２が商用電源３１の駆動を検出した場合はＳ１０４へ処理を移行する。
【００３１】
Ｓ１０４では、外部記録装置２００の電源制御回路２４が２次電池２７の駆動（ＤＶＤ記録機器バッテリ駆動）を検出した場合はＳ１０５へ処理を移行する。電源制御回路２４が商用電源３１駆動を検出した場合は処理を終了する。
【００３２】
Ｓ１０５では、システムコントローラ８は、外部記録装置２００の処理能力情報（書き込み処理速度情報、通信速度、書き込み用メモリ、バッテリ残量）や挿入されている外部記録媒体（ＤＶＤ）２６のディスク情報（記録容量、ディスク種別）を取得する。
【００３３】
Ｓ１０５は、通信手段によりデータ記録装置の能力情報を受信する受信手段として機能する。能力情報としては、上記のように、記録媒体種別情報、書き込み速度情報、データ転送速度情報を含む。
【００３４】
Ｓ１０６では、システムコントローラ８は、撮像装置１００内に記録されている各コンテンツ情報（データ量、記録フォーマット）を取得する。
【００３５】
Ｓ１０７では、外部記録装置２００の処理能力とディスク情報と各コンテンツ情報から、各コンテンツデータをＤＶＤへ書き込むために必要な書き込み時間と外部記録装置２００側へデータを通信する通信時間とを加えた書き込み所要時間をコンテンツ毎に算出する。
【００３６】
Ｓ１０７は、能力情報により、画像データを記録媒体に記録する時間情報を算出する算出手段（第１の算出手段）として機能する。
【００３７】
第１の算出手段は、受信手段により取得する能力情報と各コンテンツのデータサイズ情報から時間情報を算出する。
【００３８】
Ｓ１０８では、上記書き込み所要時間情報を、表示部４に各コンテンツのサムネイルに関連付けて表示する。そして、本処理を終了する。
【００３９】
Ｓ１０８は、時間情報を画像データと関連付けて表示する表示手段として機能する。
【００４０】
図６は、Ａ〜Ｆの動画コンテンツについて、それぞれの書き込み所要時間情報を表示した場合について例示している。
【００４１】
図６の場合は、コンテンツＡとＢが選択されており、書き込み時間が小計で１５分であり、最後にファイナライズを実行するため合計で２０分と算出されている。
【００４２】
図３は、図１の画像データ再生システムによって実行される画像データ再生処理の第２の実施の形態の手順を示すフローチャートである。
【００４３】
より具体的には、撮像装置１００と外部記録装置２００のそれぞれの電池残量から本システムの動作可能時間を算出して、書き込みコンテンツの選択制限と表示を行うフローチャートである。
【００４４】
図３において、Ｓ１０１乃至Ｓ１０８は、図２の第１の実施の形態の処理と同じなので説明は省略する。
【００４５】
Ｓ２０１では、システムコントローラ８は、２次電池１３で駆動している撮像装置（カムコーダ）１００の残り動作可能時間を算出する（取得手段）。
【００４６】
取得手段は、通信手段による画像データの転送時間が記録媒体へ記録する時間を超える場合は通信手段の転送速度に基づいて残り動作可能時間を取得する。
【００４７】
Ｓ２０２では、Ｓ１０５で取得した外部記録装置２００の情報からＤＶＤ書き込み可能時間を算出し、その書き込み処理可能時間と、Ｓ２０１で算出した動作可能時間からシステム全体として書き込み処理可能時間Ｘを算出する。
【００４８】
Ｓ２０２は、残り動作可能時間と能力情報とから記録媒体へ記録する記録処理可能時間を算出する第２の算出手段として機能する。
【００４９】
Ｓ２０３では、システムコントローラ８は、Ｓ１０７で算出したコンテンツ毎の所要時間データにより、Ｓ２０２で算出した書き込み処理可能時間Ｘを超える所要時間が必要なコンテンツについて、書き込み対象として選択できないように表示部４に表示する。そして、本処理を終了する。
【００５０】
Ｓ２０３は、時間情報及び記録処理可能時間を画像データと関連付けて表示する表示手段として機能する。
【００５１】
図６では、システム動作可能時間を３０分と算出し、その時間以上の書き込み時間を要するコンテンツをグレー下地で表示する場合について例示している。
【００５２】
図６の場合は、コンテンツＣ、Ｄ、Ｆがシステム動作可能時間を超えるため選択不可状態になっている。
【００５３】
図４は、図１の画像データ再生システムによって実行される画像データ再生処理の第３の実施の形態の手順を示すフローチャートである。
【００５４】
より具体的には、システム動作可能時間を超える書き込み時間を要するコンテンツが選ばれた場合に、警告メッセージ表示を行うフローチャートである。
【００５５】
図４において、Ｓ１０１乃至Ｓ１０８及びＳ２０１、Ｓ２０２は、図２の第１の実施の形態、図３の第２の実施の形態の処理と同じなので説明は省略する。
【００５６】
Ｓ３０１では、書き込むコンテンツを選択する画面において、選択したコンテンツの書き込み所要時間の合計がＳ２０２で算出した書き込み処理可能時間Ｘを超えている場合は、Ｓ３０２へ処理を移行する。また、その合計が書き込み処理可能時間Ｘ以下の場合は、Ｓ３０６へ処理を移行する。
【００５７】
Ｓ３０２では、表示部４に、追記できる状態でディスクへの書き込みを終了する旨を警告表示する。
【００５８】
Ｓ３０３では、システムコントローラ８は、外部記録装置インターフェイス部１１、２１を介して書き込み１回分のデータを通信し、そのデータをデータ処理部２２へ転送して、記録用データへ変換処理を行う。変換されたデータは、記録媒体インターフェイス部２３により外部記録媒体へ書き込まれる。
【００５９】
Ｓ３０４では、システムコントローラ８は、１回分の書き込み処理完了後、２次電池１３、２７の残容量を取得する。この情報から、次の書き込み処理が可能であると判断した場合には、Ｓ３０３へ処理を移行する。次の書き込み処理が不可能であると判断した場合はＳ３０５へ処理を移行する。
【００６０】
Ｓ３０５では、ファイナライズ処理を実行せずに、中断処理したコンテンツ情報を中断履歴情報として撮像装置１００で保存する。そして、処理を終了する。
【００６１】
Ｓ３０５は、記録媒体へ記録する記録所要時間が記録処理可能時間を超えている場合、記録媒体への記録を中断する中断手段として機能する。
【００６２】
Ｓ３０６では、書き込み選択された全てのコンテンツがＤＶＤへの書き込みを完了後、ファイナライズ処理を実行してＤＶＤ書き込み処理を終了する。そして、本処理を終了する。
【００６３】
図７では、システム動作可能時間を超えたコンテンツをグレー下地で表示する場合について例示している。
【００６４】
図７の場合は、コンテンツＣ、Ｄ、Ｆがシステム動作可能時間を超えているが、書き込み選択対象としてコンテンツＣが選択されている。ディスクへの書き込みを開始する前に「追記可能な状態で焼き込みを開始します」という警告メッセージを表示する。
【００６５】
図５は、図１の画像データ再生システムによって実行される画像データ再生処理の第４の実施の形態の手順を示すフローチャートである。
【００６６】
より具体的には、第３の実施の形態で中断処理されたディスクを検出した場合に、該当するコンテンツに中断履歴と残りの書き込み所要時間を表示するための処理のフローチャートである。
【００６７】
図５において、Ｓ１０１、Ｓ１０２は、図２の第１の実施の形態の処理と同じなので説明は省略する。
【００６８】
Ｓ４０１では、外部記録装置２００に挿入されているディスク（外部記録媒体２６）が追記可能な状態である場合は、ディスク情報（中断コンテンツファイル名、書き込み済データ量）を撮像装置側へ送信してＳ４０２へ処理を移行する。ディスクがファイナライズ済あるいはブランクの場合は、本処理を終了する。
【００６９】
Ｓ４０２では、第３の実施の形態で保存した書き込み中断履歴情報による該当コンテンツと、Ｓ４０１で取得したディスク情報から中断情報の正当性を判断して、書き込み処理の再開が可能であると判断した場合は処理をＳ４０３へ移行する。
【００７０】
Ｓ４０２は、通信手段によりデータ記録装置と通信を行う際、中断手段により記録が中断されていた記録媒体の情報を検出する検出手段として機能する。検出された記録媒体の記録所要時間が算出され、表示手段に表示される。
【００７１】
Ｓ４０３では、システムコントローラ８は、該当コンテンツの残データ量から、書き込み所要残時間を算出する。
【００７２】
Ｓ４０４では、システムコントローラ８は、該当コンテンツに関連付けてＳ４０３で算出した残所要時間を表示部４に表示する。そして、本処理を終了する。
【００７３】
図８は、以前に中断処理を実行した履歴があるディスクを検出し、かつ撮像装置２００内に中断処理したコンテンツを検出した場合に、残りのデータを書き込むために必要な残時間を表示する場合について例示している。
【００７４】
図８では、コンテンツＣが書き込み再開対象のコンテンツとして選択され、残時間２０分と表示される。
【図面の簡単な説明】
【００７５】
【図１】本発明の実施の形態に係る画像データ再生装置としての撮像装置と外部記録装置が接続された画像データ再生システムのブロック図である。
【図２】図１の画像データ再生システムによって実行される画像データ再生処理の第１の実施の形態の手順を示すフローチャートである。
【図３】図１の画像データ再生システムによって実行される画像データ再生処理の第２の実施の形態の手順を示すフローチャートである。
【図４】図１の画像データ再生システムによって実行される画像データ再生処理の第３の実施の形態の手順を示すフローチャートである。
【図５】図１の画像データ再生システムによって実行される画像データ再生処理の第４の実施の形態の手順を示すフローチャートである。
【図６】図１における表示部に表示される書き込み所要時間情報表示と書き込み選択制限をしたインデックス画面の説明図である。
【図７】図１における表示部に表示されるシステム動作可能時間を超えたコンテンツが選択されたときのインデックス画面の説明図と警告ＵＩ画面の説明図である。
【図８】図１における表示部に表示される、以前に中断処理されたディスクとコンテンツを検出したときに書き込み残時間情報を表示するインデックス画面の説明図である。
【符号の説明】
【００７６】
１  撮像部
２  画像信号処理部
３  表示制御部
４  表示部
５  画像処理部
６  記録媒体インターフェイス部
７  記録媒体
８  システムコントローラ
９  スイッチ
１０  レンズ
１１  外部記録装置インターフェイス部
１２  電源制御部
１００  撮像装置
２００  外部記録装置
【図１】
2009253618.tif 000003
【図２】
2009253618.tif 000004
【図３】
2009253618.tif 000005
【図４】
2009253618.tif 000006
【図５】
2009253618.tif 000007
【図６】
2009253618.tif 000008
【図７】
2009253618.tif 000009
【図８】
2009253618.tif 000010